(57)【特許請求の範囲】
【請求項１】
元の映像データの各フレーム画像から複数のフィールド画像を生成し所定の配列パターンで配列するプルダウン処理によって生成される、該配列パターンが繰り返し現れる映像データを含むインターレース方式の映像データに対して、カット編集を行う映像編集装置であって、
カット編集後の映像データのフィールドの配列が前記配列パターンに従う配列となり、かつ、編集対象の映像データにおいて、カット編集による削除範囲の開始フィールドとその直前のフィールドとの境界及び／又はカット編集による削除範囲の終了フィールドとその直後のフィールドとの境界が元の映像データのフレームの境界に一致する、という条件を満たす削除範囲の開始フィールドの候補及び／又は終了フィールドの候補をユーザに提示する提示部と、
ユーザに、前記提示部が提示する開始フィールドの候補及び／又は終了フィールドの候補を参照して、削除範囲の開始フィールド及び／又は終了フィールドを指定させる指定部と、
前記指定部において指定された削除範囲の映像データを編集対象の映像データから削除した映像データを出力する出力部と、
を有する映像編集装置。
【請求項２】
ユーザが指定した開始フィールド及び／又は終了フィールドが、前記提示部が提示する開始フィールドの候補及び／又は終了フィールドの候補と異なる場合、ユーザに警告する通知部を有する請求項１に記載の映像編集装置。
【請求項３】
前記指定部は、ユーザに、前記提示部が提示する開始フィールドの候補及び／又は終了フィールドの候補の中から開始フィールド及び／又は終了フィールドを選択させる請求項１に記載の映像編集装置。
【請求項４】
前記指定部は、ユーザに暫定的な開始フィールド及び／又は終了フィールドを指定させ、
前記提示部は、ユーザが前記指定部において暫定的な開始フィールドを変更したときに、終了フィールドの候補として提示するフィールドを、前記配列パターンにおける何番目のフィールドであるかを表す配列番号が前記変更後の開始フィールドと等しいフィールドの１つ前のフィールドに更新し、ユーザが前記指定部において暫定的な終了フィールドを変更したときに、開始フィールドの候補として提示するフィールドを、該変更後の終了フィールドと配列番号が等しいフィールドの１つ後のフィールドに更新する請求項１又は２に記載の映像編集装置。
【請求項５】
前記指定部は、ユーザに暫定的な開始フィールド及び／又は終了フィールドを指定させ、
前記提示部は、ユーザが指定部において指定した暫定的な開始フィールド及び／又は終了フィールドの前後所定範囲内にある開始フィールドの候補及び／又は終了フィールドの候補を提示する請求項１から４のいずれか１項に記載の映像編集装置。
【請求項６】
編集対象の映像データの各フィールドが前記配列パターンにおける何番目のフィールドであるかを表す配列番号を判別する判別部を有し、
前記提示部は、開始フィールドと配列番号が等しいフィールドの１つ前のフィールドが終了フィールドとなる、という関係を満たす開始フィールド及び／又は終了フィールドを、削除範囲の開始フィールドの候補及び／又は終了フィールドの候補として提示する請求項１から５のいずれか１項に記載の映像編集装置。
【請求項７】
編集対象の映像データの各フィールドが前記配列パターンにおける何番目のフィールドであるかを表す配列番号を判別する判別部を有し、
前記提示部は、元の映像データの同じフレーム画像を生成元とする複数のフィールドのうち配列番号が最も小さいフィールドを、削除範囲の開始フィールドの候補として提示する請求項１から６のいずれか１項に記載の映像編集装置。
【請求項８】
編集対象の映像データの各フィールドが前記配列パターンにおける何番目のフィールドであるかを表す配列番号を判別する判別部を有し、
前記提示部は、元の映像データの同じフレーム画像を生成元とする複数のフィールドのうち配列番号が最も大きいフィールドを、削除範囲の終了フィールドの候補として提示する請求項１から６のいずれか１項に記載の映像編集装置。
【請求項９】
カット編集後の映像データを表示する画像表示部を備える請求項１から８のいずれか１項に記載の映像編集装置。
【請求項１０】
カット編集後の映像データを外部の画像表示装置で表示できるように出力する出力端子を備える請求項１から８のいずれか１項に記載の映像編集装置。
【請求項１１】
カット編集後の映像データを外部の録画装置で録画できるように出力する出力端子を備える請求項１から８のいずれか１項に記載の映像編集装置。
【請求項１２】
カット編集後の映像データを記録媒体に記録する記録部を備える請求項１から８のいずれか１項に記載の映像編集装置。
【請求項１３】
元の映像データの各フレーム画像から複数のフィールド画像を生成し所定の配列パターンで配列するプルダウン処理によって生成される、該配列パターンが繰り返し現れる映像データを含むインターレース方式の映像データに対して、カット編集を行う映像編集装置の制御方法であって、
カット編集後の映像データのフィールドの配列が前記配列パターンに従う配列となり、かつ、編集対象の映像データにおいて、カット編集による削除範囲の開始フィールドとその直前のフィールドとの境界及び／又はカット編集による削除範囲の終了フィールドとその直後のフィールドとの境界が元の映像データのフレームの境界に一致する、という条件を満たす削除範囲の開始フィールドの候補及び／又は終了フィールドの候補をユーザに提示するステップと、
ユーザに、提示される開始フィールドの候補及び／又は終了フィールドの候補を参照して、削除範囲の開始フィールド及び／又は終了フィールドを指定させるステップと、
ユーザにより指定される削除範囲の映像データを編集対象の映像データから削除した映像データを出力するステップと、
を有する映像編集装置の制御方法。
【請求項１４】
元の映像データの各フレーム画像から複数のフィールド画像を生成し所定の配列パターンで配列するプルダウン処理によって生成される、該配列パターンが繰り返し現れる映像データを含むインターレース方式の映像データに対して、カット編集を行う映像編集プログラムであって、
コンピュータに、
カット編集後の映像データのフィールドの配列が前記配列パターンに従う配列となり、かつ、編集対象の映像データにおいて、カット編集による削除範囲の開始フィールドとその直前のフィールドとの境界及び／又はカット編集による削除範囲の終了フィールドとその直後のフィールドとの境界が元の映像データのフレームの境界に一致する、という条件を満たす削除範囲の開始フィールドの候補及び／又は終了フィールドの候補をユーザに提
示するステップと、
ユーザに、提示される開始フィールドの候補及び／又は終了フィールドの候補を参照して、削除範囲の開始フィールド及び／又は終了フィールドを指定させるステップと、
ユーザにより指定される削除範囲の映像データを編集対象の映像データから削除した映像データを出力するステップと、
を実行させる映像編集プログラム。
【発明の詳細な説明】
【技術分野】
【０００１】
本発明は、映像編集装置、その制御方法及び映像編集プログラムに関する。
【背景技術】
【０００２】
近年、ＨＤＤ（Ｈａｒｄ  Ｄｉｓｋ  Ｄｒｉｖｅ：ハードディスク）を搭載し、映像編集機能を有する録画機器が普及してきた。これはテレビ番組の映像データをＨＤＤに記録したり、ＨＤＤ内の映像データをＤＶＤ（Ｄｉｇｉｔａｌ  Ｖｅｒｓａｔｉｌｅ  Ｄｉｓｃ）等の着脱可能なメディアにダビングしたりする機能を有する。更に、ＨＤＤに記録された映像データに対し、不要な部分をカットする等の映像編集を行うことができる。このような映像編集機器では、テレビ番組の映像データを一旦ＨＤＤに記録し、ＣＭ（Ｃｏｍｍｅｒｃｉａｌ  Ｍｅｓｓａｇｅ：広告）等の不要な部分をカットした上でＤＶＤ等のメディアへダビングすることもできる。
【０００３】
テレビ放送ではテレビカメラで撮影した映像だけでなく、映画用撮影機材で撮影したドラマ番組映像や映画館での上映を前提とした映画フィルムを基にしたフィルム映像も放送されている。
【０００４】
日本や米国のテレビ放送の映像信号はＮＴＳＣ規格である。この映像信号は、奇数ラインのみで構成される奇数フィールドと、偶数ラインのみで構成される偶数フィールドとが交互に繰り返される飛び越しスキャン方式により、計６０枚のフィールドで１秒間の映像が構成されている。一方、フィルム映像は２４枚のフレーム（コマ）で１秒間の映像が構成されている。よってフィルム映像をテレビ放送で放映する際には、毎秒２４フレーム（２４ｐ）のフィルム映像データを毎秒６０フィールド（６０ｉ）のインターレース映像データに変換しなければならない。
【０００５】
このような様々なフレームレートの映像データを編集するシステムとして、全ての映像データを一旦２４Ｈｚ（２４ｐ）の映像データに変換してから編集作業を行なうシステムが考案されている（特許文献１を参照）。しかしこのシステムは業務用の編集を想定したもので規模が大掛りである。一般家庭用機器では、放送規格に準じた６０ｉの映像データの編集機能の中で、フィルム映像データなどの他のフレームレートの映像データの編集を行えることが望ましい。
【０００６】
ここで、毎秒２４フレームのフィルム映像データを放送規格の毎秒６０フィールドのインターレース映像データへ変換する方法である３：２プルダウンについて説明する。３：２プルダウンでは、フィルム映像データの４フレームをインターレース映像データの１０フィールドに規則的に変換する。３：２プルダウンによる変換例を図７（Ａ）に示す。
【０００７】
図７（Ａ）の上段はフィルム映像データ（２４Ｈｚ）を示し、符号１〜４は時間順に並ぶ４枚のフィルム映像データのフレーム（コマ）を区別するための符号である。下段はこれを３：２プルダウンで変換したインターレース映像データ（６０ｉ）を示し、Ｔｙｐｅ１〜Ｔｙｐｅ１０は連続するフィールドを区別するための符号である。下段において１枚おきに上下にずらして記載しているが、上方にずれているフィールドが奇数フィールド（Ｏｄｄ）、下方にずれているフィールドが偶数フィールド（Ｅｖｅｎ）を表す。
【０００８】
フィルム映像データの最初のフレーム画像１からインターレース映像データの３つのフィールド画像（Ｔｙｐｅ１〜Ｔｙｐｅ３）が生成され、次のフレーム画像２から２つのフィールド画像（Ｔｙｐｅ４〜Ｔｙｐｅ５）が生成される。同様にフレーム画像３から３つ
のフィールド画像（Ｔｙｐｅ６〜Ｔｙｐｅ８）、フレーム画像４から２つのフィールド画像（Ｔｙｐｅ９〜Ｔｙｐｅ１０）が生成される。このようにフィルム映像データの各フレームがインターレース映像データの２フィールド又は３フィールドに順次変換されるため、この変換方法は３：２プルダウンと称されている。Ｔｙｐｅ１〜Ｔｙｐｅ３の３フィールドとＴｙｐｅ９〜Ｔｙｐｅ１０の２フィールドは奇数フィールドから始まり、Ｔｙｐｅ６〜Ｔｙｐｅ８の３フィールドとＴｙｐｅ４〜Ｔｙｐｅ５の２フィールドは偶数フィールドから始まる。３：２プルダウン処理により生成されたインターレース映像は、元のプログレッシブ映像の連続する４フレームから生成される１０枚のフィールドが所定の配列パターン（Ｔｙｐｅ１〜Ｔｙｐｅ１０）で配列され、この配列パターンが繰り返される映像データとなる。
【０００９】
液晶ディスプレイやプラズマディスプレイなどの近年の映像表示装置では、プログレッシブ表示が可能である。このような映像表示装置では、テレビ放送のインターレース映像データに対して、プログレッシブ映像データに変換するＩ／Ｐ（Ｉｎｔｅｒｌａｃｅ／Ｐｒｏｇｒｅｓｓｉｖｅ）変換を行ってから表示している。Ｉ／Ｐ変換はソースのインターレース映像データの各フィールド画像において飛び越されたラインを補間して、全ラインが描画されるフレーム画像を生成する。
【００１０】
フィールド画像における飛び越されたラインを補間する方法には、大きく分けて２つある。第一の方法は、補間する画素の上下、場合によっては斜め方向も含む周囲の画素データに基づく推定により補間画素を生成するもので「フィールド内処理」と呼ばれる。第二の方法は、時間方向に隣接するフィールドの画素を補間画素に代用するもので「フィールド間処理」と呼ぶ。フィールド内処理は同一フィールド内の処理であるため、動きの激しい映像データにも対応できるが、周囲の画素データから補間するため解像度が劣化する。一方、フィールド間処理は時間方向の処理であるため動きの少ない映像データでは解像度が劣化しにくいが、動きの激しい映像データでは誤った補間を行なってしまう場合がある。実際には何れか一方の処理のみを行なうのではなく、映像の動きを検知して処理方法を適宜選択する。
【００１１】
この動き検知は全画面を幾つかのエリアに分割して処理を切り換えるのが一般的である。例えば、静止した背景の前をボールが動くシーンの場合、ボール部分は「動き有り」と判断してフィールド内処理を行い、背景部分は「動き無し」と判定してフィールド間処理を行う。
【００１２】
図７（Ｂ）はＩ／Ｐ変換におけるインターレース映像のフィールドとプログレッシブ映像のフレームとの関係を表したものであり、上段はソースのインターレース映像（６０ｉ）、下段はＩ／Ｐ変換後のプログレッシブ映像（６０ｐ）を表す。例えばインターレース映像データのフィールド２をプログレッシブ映像データのフレーム２’に変換するためには、フィールド２の直前のフィールド１の画像を用いたり、直前のフィールド１及び直後のフィールド３の画像を用いたりしてフレーム２’を生成する。動きを検知してフィールド内処理を行う場合は、インターレース映像データのフィールド２の画像のみを用いてフレーム２’を生成する。「動き無し」と判断してフィールド間処理を行う場合は、インターレース映像データのフィールド１と２、フィールド２と３、又は、フィールド１と２と３の画像を用いてフレーム２’を生成する。図７（Ｂ）で上段のインターレース映像データ（６０ｉ）と下段のプログレッシブ映像データ（６０ｐ）を結ぶ矢印のうち、太線がフィールド内処理を表し、細線がフィールド間処理を表している。
【００１３】
ところで、毎秒２４フレームのフィルム映像データから３：２プルダウン処理によって生成されたインターレース映像データでは、上述のように、同一のフレーム画像から生成されたフィールドが２枚、３枚、２枚、３枚の配列パターンで繰り返される。同一のフレ
ーム画像から生成された２つのフィールド画像の間には動きはない。従って、同一のフレーム画像から生成された２つのフィールド画像からＩ／Ｐ変換によってプログレッシブ映像データのフレーム画像を生成する場合には、単純に２つのフィールド画像を合成すれば良い。この場合、フィールド内処理やフィールド間処理のような補間処理が行われないので、高画質なフレーム画像を生成できる。このように、変換対象のインターレース映像データに対して３：２プルダウンにより生成されたフィールド配列パターンを仮定して、単純合成によるプログレッシブ映像データのフレーム画像の生成を行う処理を「３：２プルダウン対応Ｉ／Ｐ変換」と称す。
【００１４】
図７（Ｃ）は３：２プルダウン対応Ｉ／Ｐ変換の処理を模式的に示したものである。上段はフィルム映像データ（２４Ｈｚ）、中段はこれを３：２プルダウンで変換したインターレース映像データ（６０ｉ）、下段はこれを更に３：２プルダウン対応Ｉ／Ｐ変換して生成したプログレッシブ映像データ（６０ｐ）を表す。
【００１５】
上段のフィルム映像データのフレーム画像１、２、３及び４から、３：２プルダウン処理により、中段のインターレース映像データ（６０ｉ）のフィールド画像Ｔｙｐｅ１〜３、Ｔｙｐｅ４〜５、Ｔｙｐｅ６〜８及びＴｙｐｅ９〜１０が生成される。そして中段のインターレース映像データ（６０ｉ）から、３：２プルダウン対応Ｉ／Ｐ変換により、下段のプログレッシブ映像データ（６０ｐ）の各フレーム画像が得られる。インターレース映像データのフィールドＴｙｐｅ１はフィルム映像データのフレーム１から得た奇数フィールド、インターレース映像データのフィールドＴｙｐｅ２はフィルム映像データのフレーム１から得た偶数フィールドである。従って、Ｔｙｐｅ１とＴｙｐｅ２のフィールド画像を合成して生成されるプログレッシブ映像データのフレーム画像は、元のフィルム映像データのフレーム１の画像になる。またインターレース映像のＴｙｐｅ３のフィールドもフィルム映像のフレーム１から得た奇数フィールドなので、Ｔｙｐｅ３とＴｙｐｅ２のフィールド画像を合成して生成されるプログレッシブ映像のフレーム画像は、フィルム映像のフレーム１の画像になる。そしてインターレース映像のフィールドＴｙｐｅ４とＴｙｐｅ５はそれぞれフィルム映像のフレーム２から得た奇数フィールドと偶数フィールドなので、両フィールドの画像を合成して生成されるフレーム画像は、フィルム映像のフレーム２の画像になる。
【００１６】
このように、インターレース映像データが３：２プルダウンにより生成されたものであることがわかっていれば、３：２プルダウン対応Ｉ／Ｐ変換を行うことにより高画質なプログレッシブ映像データが得られる。
【先行技術文献】
【特許文献】
【００１７】
【特許文献１】特開平０８−２２８３１２号公報
【発明の概要】
【発明が解決しようとする課題】
【００１８】
３：２プルダウン対応Ｉ／Ｐ変換は、変換対象のインターレース映像データが、３：２プルダウン処理により生成される固有のフィールド配列パターンを有していることが前提となる。また、変換対象のインターレース映像データの各フィールドについて、配列パターンの何番目のフィールドであるかを表す配列番号（Ｔｙｐｅ１〜１０）の判別ができていることが前提となる。
【００１９】
しかしながら、３：２プルダウンにより生成される映像データを含む映像データに対して、指定された削除範囲を削除するカット編集を行った場合、編集後の映像データにおいて３：２プルダウンのフィールド配列パターンが崩れる可能性がある。例えば、２４Ｈｚ
（２４ｐ）のフィルム映像データを３：２プルダウンで変換した６０ｉのインターレース映像データにＣＭの映像データを挿入してテレビ放送された映画番組の映像データを考える。この映画番組の映像データは６０ｉのインターレース映像データだが、３：２プルダウンの配列パターンでフィールドが配列された映画パートと、３：２プルダウンの配列パターンでフィールドが配列されていないＣＭパートと、が混在する。この映像データを録画してＣＭパートを削除するカット編集を行った場合、編集後の映像データにおいて、ＣＭカットの編集が行われた箇所で３：２プルダウンのフィールド配列パターンが崩れている可能性が高い。３：２プルダウンのフィールド配列パターンが崩れたインターレース映像データに対して３：２プルダウン対応Ｉ／Ｐ変換を行うと、異なるフレーム由来のフィールド画像が合成されるなど誤った処理が行われる可能性がある。
【００２０】
従って、３：２プルダウン対応Ｉ／Ｐ変換を行う場合は、３：２プルダウンのフィールド配列パターンが崩れていないか監視し、崩れを検知した場合には直ちに３：２プルダウン対応Ｉ／Ｐ変換を中止する必要がある。そして３：２プルダウンのフィールド配列パターンを再検索し、検出できたら再び３：２プルダウン対応Ｉ／Ｐ変換を行うことが望ましい。
【００２１】
しかしながら、３：２プルダウンのフィールド配列パターンが崩れたことを即座に検知するのは容易ではない。フィールド間の差分に対して敏感なアルゴリズムを用いて配列パターンの崩れを検知することが考えられるが、この検知方法では、特にフィルム映像データから３：２プルダウンで生成された映像データの場合に誤検出が発生する場合がある。これは、フィルム映像データのフレーム画像にはフィルム粒子に起因するランダムノイズが存在するため、同一フレーム画像由来の２つのフィールド画像が、異なるフレーム画像由来のフィールド画像と誤判定される可能性があるからである。
【００２２】
本発明は、プルダウン処理による所定のフィールド配列パターンを有する映像データを含むインターレース方式の映像データに対して、フィールド配列パターンを崩さずにカット編集を行うことができる映像編集装置を提供することを目的とする。
【課題を解決するための手段】
【００２３】
本発明は、元の映像データの各フレーム画像から複数のフィールド画像を生成し所定の配列パターンで配列するプルダウン処理によって生成される、該配列パターンが繰り返し現れる映像データを含むインターレース方式の映像データに対して、カット編集を行う映像編集装置であって、
カット編集後の映像データのフィールドの配列が前記配列パターンに従う配列となり、かつ、編集対象の映像データにおいて、カット編集による削除範囲の開始フィールドとその直前のフィールドとの境界及び／又はカット編集による削除範囲の終了フィールドとその直後のフィールドとの境界が元の映像データのフレームの境界に一致する、という条件を満たす削除範囲の開始フィールドの候補及び／又は終了フィールドの候補をユーザに提示する提示部と、
ユーザに、前記提示部が提示する開始フィールドの候補及び／又は終了フィールドの候補を参照して、削除範囲の開始フィールド及び／又は終了フィールドを指定させる指定部と、
前記指定部において指定された削除範囲の映像データを編集対象の映像データから削除した映像データを出力する出力部と、
を有する映像編集装置である。
【００２４】
本発明は、元の映像データの各フレーム画像から複数のフィールド画像を生成し所定の配列パターンで配列するプルダウン処理によって生成される、該配列パターンが繰り返し現れる映像データを含むインターレース方式の映像データに対して、カット編集を行う映
像編集装置の制御方法であって、
カット編集後の映像データのフィールドの配列が前記配列パターンに従う配列となり、かつ、編集対象の映像データにおいて、カット編集による削除範囲の開始フィールドとその直前のフィールドとの境界及び／又はカット編集による削除範囲の終了フィールドとその直後のフィールドとの境界が元の映像データのフレームの境界に一致する、という条件を満たす削除範囲の開始フィールドの候補及び／又は終了フィールドの候補をユーザに提示するステップと、
ユーザに、提示される開始フィールドの候補及び／又は終了フィールドの候補を参照して、削除範囲の開始フィールド及び／又は終了フィールドを指定させるステップと、
ユーザにより指定される削除範囲の映像データを編集対象の映像データから削除した映像データを出力するステップと、
を有する映像編集装置の制御方法である。
【００２５】
本発明は、元の映像データの各フレーム画像から複数のフィールド画像を生成し所定の配列パターンで配列するプルダウン処理によって生成される、該配列パターンが繰り返し現れる映像データを含むインターレース方式の映像データに対して、カット編集を行う映像編集プログラムであって、
コンピュータに、
カット編集後の映像データのフィールドの配列が前記配列パターンに従う配列となり、かつ、編集対象の映像データにおいて、カット編集による削除範囲の開始フィールドとその直前のフィールドとの境界及び／又はカット編集による削除範囲の終了フィールドとその直後のフィールドとの境界が元の映像データのフレームの境界に一致する、という条件を満たす削除範囲の開始フィールドの候補及び／又は終了フィールドの候補をユーザに提示するステップと、
ユーザに、提示される開始フィールドの候補及び／又は終了フィールドの候補を参照して、削除範囲の開始フィールド及び／又は終了フィールドを指定させるステップと、
ユーザにより指定される削除範囲の映像データを編集対象の映像データから削除した映像データを出力するステップと、
を実行させる映像編集プログラムである。
【発明の効果】
【００２６】
本発明によれば、プルダウン処理による所定のフィールド配列パターンを有する映像データを含むインターレース方式の映像データに対して、フィールド配列パターンを崩さずにカット編集を行うことができる映像編集装置を提供することができる。
【図面の簡単な説明】
【００２７】
【図１】実施例１の映像編集装置の操作画面例
【図２】実施例１の映像編集装置のブロック図
【図３】実施例１の映像編集装置の動作を表すフローチャート
【図４】実施例１の映像編集装置を操作する操作部の例
【図５】実施例１の映像編集装置の操作画面例
【図６】実施例２の映像編集装置のブロック図
【図７】３：２プルダウン及びＩ／Ｐ変換の説明用概念図
【発明を実施するための形態】
【００２８】
（実施例１）
図１は本実施例に係る映像編集装置の操作画面例、図２はブロック図である。図２のブロック図は、主として本実施例の映像編集装置の機能の説明に関係する画像信号系の機能部を記載し、音声信号などの他の信号系は省略してある。図２に示す映像編集装置は、アンテナ入力端子１０、チューナー１１、デジタル放送信号の復号器１２、ＨＤＤへの書き
込み／読み出しを行なうＩ／Ｆ部１３、ＨＤＤ１４、圧縮動画像を解凍する復号器１５、動き検知部１６を有する。更に、複数の画像信号を縮小し１枚の画面に合成する画面合成部１７を有する。更に、ユーザ操作のための文字や記号などのＧＵＩ（Ｇｒａｐｈｉｃａｌ  Ｕｓｅｒ  Ｉｎｔｅｒｆａｃｅ）部品画像を映像信号に重畳するＯＳＤ（Ｏｎ  Ｓｃｒｅｅｎ  Ｄｉｓｐｌａｙ）部１８を有する。更に、ディスプレイ等の画像表示装置にビデオ信号を出力するビデオ出力端子１９、動画像を圧縮する圧縮器２０、別体の録画機器に録画用画像信号を出力する録画出力端子２１、制御用バス５０を有する。更に、システム全体を制御する制御部５１、キースイッチやリモコン等からなる操作部５２を有する。ビデオ出力端子１９の代わりに、ディスプレイ等の画像表示装置（画像表示部）を備えた構成としてもよい。
【００２９】
アンテナ入力端子１０から入力された放送波は、チューナー１１にて受信され、復号器１２にてＴＳ（Ｔｒａｎｓｐｏｒｔ  Ｓｔｒｅａｍ）に復号される。復号されたＴＳは、ＨＤＤ  Ｉ／Ｆ部１３を介してＨＤＤ１４に記録される。ＨＤＤ１４に記録されたＴＳを再生する場合、ＨＤＤ  Ｉ／Ｆ部１３を介してＨＤＤ１４からＴＳが読み出される。ＨＤＤ１４から読み出されたＴＳは、復号器１５で映像信号にデコードされる。デコードされた映像信号は、画面合成部１７とＯＳＤ部１８をスルーパスし、ビデオ出力端子１９から出力される。これらの動作は、操作部５２を介して行われるユーザ操作に応じて、制御部５１が制御用バス５０を介して各ブロックに指示を与えることにより、実行される。ユーザは、ビデオ出力端子１９に接続されるディスプレイなどの画像表示装置に表示される映像を視聴することができる。
【００３０】
カット編集などの映像編集時には、再生時と同様、ＨＤＤ１４から読み出されたＴＳが、復号器１５にて映像信号にデコードされて画面合成部１７と動き検知部１６に供給される。映像信号は、ＯＳＤ部１８において映像編集用のＧＵＩが重畳され、ビデオ出力端子１９から出力される。ユーザは、通常の再生時と同様、ビデオ出力端子１９から出力される映像信号をディスプレイ等の画像表示装置を用いて視聴しながら操作部５２を操作し、映像編集用のＧＵＩを介して削除範囲の開始フィールドと終了フィールドを指定し、カット編集を行う。
【００３１】
図３は制御部５１が行う処理のフローチャート、図４は操作部５２の一部を模式的に示した図である。図３のステップＳ１０１にて、制御部５１は、削除範囲の開始フィールドを指定する操作がなされるのを待つ。操作がなされたことを検知したら、制御部５１は、ステップＳ１０２にて、その開始フィールドの前後所定範囲内（前後１０フィールド）に対し、３：２プルダウン処理により生成されたフィールドであるか否か判定する。３：２プルダウン処理により生成されたフィールドである場合には、制御部５１は、さらに、そのフィールドが上述した配列パターンにおける何番目のフィールドであるかを表す配列番号（Ｔｙｐｅ１〜１０）の判別を行なう。ステップＳ１０３にて、制御部５１は、削除範囲の終了フィールドを指定する操作がなされるのを待つ。操作がなされたことを検知したら、制御部５１は、ステップＳ１０４にて、その終了フィールドの前後１０フィールドに対し、３：２プルダウン処理により生成されたフィールドであるか否か判定する。３：２プルダウン処理により生成されたフィールドである場合には、制御部５１は、さらに、そのフィールドの配列番号の判別を行う。ステップＳ１０５にて、制御部５１は、開始フィールド前後１０フィールドと終了フィールド前後１０フィールドのサムネイル画像表示を行なう。
【００３２】
その表示例が図１であり、上段は開始フィールド前後のフィールドのサムネイル画像を表し、下段は終了フィールド前後のフィールドのサムネイル画像を表している。なお、図１では以下の説明の便宜上１０フィールド以上示している。また、開始フィールド前後や終了フィールド前後に示すサムネイル画像の数は１０フィールドに限らない。また、図１
において各サムネイル画像の下に記した配列番号の表示（Ｔｙｐｅ１〜１０）や、「映像区間」や「ＣＭ区間」などの表記は、以下の説明の便宜上のものであり、実際の映像編集用ＧＵＩに表示されなくても良い。開始フィールドが編集対象の映像データの先頭（最初）のフィールドの場合、開始フィールドの前のフィールドのサムネイル表示は行わない。また、終了フィールドが編集対象の映像データの末尾（最後）のフィールドの場合、終了フィールドの後のフィールドのサムネイル表示は行わない。
【００３３】
ユーザが削除範囲の開始フィールドと終了フィールドを最初に指定した時点では、当該開始フィールドと終了フィールドは暫定的なものであり、未だ確定してはいない。図１の白い逆三角形のマーク１及び２は、ユーザが指定した暫定的な開始フィールドと終了フィールドを表し、映像編集用ＧＵＩに実際に表示される。上段のＴｙｐｅ５とＴｙｐｅ６の境界に表示されているマーク１は、削除範囲の暫定的な開始フィールドがＴｙｐｅ６のフィールドであることを示す。下段のＴｙｐｅ９と配列番号の判別されていないフィールドとの境界に表示されているマーク２は、削除範囲の暫定的な終了フィールドがＴｙｐｅ９のフィールドであることを示す。
【００３４】
また上段の黒い逆三角形のマーク３、４及び５は、映像編集装置がユーザに推奨する削除範囲の開始フィールドを開始フィールドの候補として提示するマークであり、映像編集用ＧＵＩに実際に表示される。例えば、上段のＴｙｐｅ３とＴｙｐｅ４の境界に表示されているマーク４は、削除範囲の開始フィールドの候補としてＴｙｐｅ４のフィールドが提示されていることを示す。
【００３５】
また下段の黒い三角形のマーク６及び７は、映像編集装置がユーザに推奨する削除範囲の終了フィールドを終了フィールドの候補として提示するマークであり、映像編集用ＧＵＩに実際に表示される。例えば、下段のＴｙｐｅ５とＴｙｐｅ６の境界に表示されているマーク６及び７は、削除範囲の終了フィールドの候補としてＴｙｐｅ５のフィールドが提示されていることを示す。
【００３６】
＜推奨編集点の提示＞
像編集装置は、カット編集後の映像データのフィールドの配列が３：２プルダウンのフィールド配列パターンに従う配列となるようなカット編集を行うための削除範囲の開始フィールドの候補及び終了フィールドの候補をユーザに提示する。
【００３７】
そのために、映像編集装置は、開始フィールドと配列番号が等しいフィールドの１つ前のフィールドが終了フィールドとなる、という関係を満たす開始フィールド及び終了フィールドを候補として提示する。この条件は、開始フィールドの配列番号が終了フィールドの配列番号より１大きい、と言うこともできる。但し、終了フィールドの配列番号が最大値の場合（配列パターンの最後のフィールドの場合）、その配列番号より１大きい配列番号は１とする（配列パターンの最初のフィールド）。
【００３８】
ユーザが、配列番号ｊのフィールド（Ｔｙｐｅｊ）（ｊ＝１〜１０）を開始フィールドに指定した場合、映像編集装置は、配列番号ｊ−１のフィールド（Ｔｙｐｅ（ｊ−１））を終了フィールドの候補として提示する。但し、ｊ＝１の場合は、映像編集装置は、配列番号１０のフィールド（Ｔｙｐｅ１０）を終了フィールドの候補として提示する。そして、映像編集装置は、Ｔｙｐｅ（ｊ−１）のフィールドのサムネイル画像とＴｙｐｅｊのフィールドのサムネイル画像との境界に、終了フィールドの候補を示すマークを表示する。ｊ＝１の場合は、映像編集装置は、Ｔｙｐｅ１０のフィールドのサムネイル画像とＴｙｐｅ１のフィールドのサムネイル画像との境界に、終了フィールドの候補を示すマークを表示する。
【００３９】
ユーザが、配列番号ｊのフィールド（Ｔｙｐｅｊ）（ｊ＝１〜１０）を終了フィールドに指定した場合、映像編集装置は、配列番号ｊ＋１のフィールド（Ｔｙｐｅ（ｊ＋１））を開始フィールドの候補として提示する。但し、ｊ＝１０の場合は、映像編集装置は、配列番号１のフィールド（Ｔｙｐｅ１）を開始フィールドの候補として提示する。そして、映像編集装置は、Ｔｙｐｅｊのフィールドのサムネイル画像とＴｙｐｅ（ｊ＋１）のフィールドのサムネイル画像との境界に、開始フィールドの候補を示すマークを表示する。ｊ＝１０の場合は、映像編集装置は、Ｔｙｐｅ１０のフィールドのサムネイル画像とＴｙｐｅ１のフィールドのサムネイル画像との境界に、開始フィールドの候補を示すマークを表示する。
【００４０】
ユーザによる開始（終了）フィールドの指定に応じて提示される終了（開始）フィールドの候補を、実際に終了（開始）フィールドとして指定してカット編集を実行すれば、カット編集後の映像データの編集点前後のフィールドの配列パターンが崩れない。
【００４１】
例えば、図１に示すように、ユーザが上段のＴｙｐｅ５とＴｙｐｅ６の境界に開始フィールドのマーク１を移動させた場合、Ｔｙｐｅ６のフィールドが開始フィールドとして指定されたことを意味する。この場合、映像編集装置は、Ｔｙｐｅ５とＴｙｐｅ６の境界に終了フィールドの候補を示すマーク６及び７を表示することにより、Ｔｙｐｅ５のフィールドを終了フィールドの候補として提示する。ユーザが、提示された終了フィールドの候補Ｔｙｐｅ６を終了フィールドとして指定してカット編集を実行すれば、カット編集後の映像データの編集点前後におけるフィールド配列は「Ｔｙｐｅ４，Ｔｙｐｅ５／Ｔｙｐｅ６，Ｔｙｐｅ７」となる（／は編集点）。つまり、３：２プルダウンのフィールド配列パターンが維持されており、崩れていない。
【００４２】
更に、本実施例の映像編集装置は、カット編集後の映像データに３：２プルダウン対応Ｉ／Ｐ変換を適用した場合に不適切なフィールド合成が発生しないような編集点の候補をユーザに提示する。削除範囲の開始フィールドとその直前のフィールドとの境界及び／又は削除範囲の終了フィールドとその直後のフィールドとの境界が元の映像データのフレームの境界に一致する、という条件を満たす開始フィールド及び／又は終了フィールドを候補として提示する。具体的には、映像編集装置は、元の映像データの同じフレームを生成元とする複数のフィールドのうち配列番号が最も小さいフィールドを削除範囲の開始フィールドの候補として提示する。また、映像編集装置は、元の映像データの同じフレームを生成元とする複数のフィールドのうち配列番号が最も大きいフィールドを削除範囲の終了フィールドの候補として提示する。なお、削除範囲の開始フィールドが編集対象の映像データの先頭のフィールドの場合、削除範囲の終了フィールドとその直後のフィールドとの境界が元の映像データのフレームの境界に一致する、という条件を満たす終了フィールドを候補として提示する。また、削除範囲の終了フィールドが編集対象の映像データの最後のフィールドの場合、削除範囲の開始フィールドとその直前のフィールドとの境界が元の映像データのフレームの境界に一致する、という条件を満たす開始フィールドを候補として提示する。編集対象の映像データの途中の部分を削除するカット編集を行う場合、映像編集装置は次のように動作する。すなわち、削除範囲の開始フィールドとその直前のフィールドとの境界及び削除範囲の終了フィールドとその直後のフィールドとの境界が元の映像データのフレームの境界に一致する、という条件を満たす開始フィールド及び終了フィールドを候補として提示する。
【００４３】
例えば３：２プルダウンの場合、映像編集装置は、削除範囲の開始フィールドの候補としてＴｙｐｅ１，４，６及び９のフィールドを提示する。そして、映像編集装置は、上段のＴｙｐｅ１０とＴｙｐｅ１の境界、Ｔｙｐｅ３とＴｙｐｅ４の境界、Ｔｙｐｅ５とＴｙｐｅ６の境界及びＴｙｐｅ８とＴｙｐｅ９の境界に開始フィールド候補マークを表示する（図１参照）。これらは元のフィルム映像データのフレームの境界に相当する（図７（Ｃ
）参照）。
【００４４】
これらのフィールドを削除範囲の開始フィールドとしてカット編集を実行すると、カット編集後の映像データにおける編集点直前のフィールドはＴｙｐｅ１０，３，５又は８になる（削除範囲の開始フィールドが編集対象の映像データの先頭フィールドでない場合）。これらのフィールドは、図７（Ｃ）に示すように、元の２４Ｈｚ（２４ｐ）の映像データの同じフレームを生成元とする２枚又は３枚のフィールドのうち最後のフィールドである。
【００４５】
例えば、Ｔｙｐｅ１０は元の映像データの同じフレーム４から生成された２つのフィールドＴｙｐｅ９及び１０のうちの最後のフィールドである。Ｔｙｐｅ３は元の映像データの同じフレーム１から生成された３つのフィールドＴｙｐｅ１，２及び３のうちの最後のフィールドである。Ｔｙｐｅ５は元の映像データの同じフレーム２から生成された２つのフィールドＴｙｐｅ４及び５のうちの最後のフィールドである。Ｔｙｐｅ８は元の映像データの同じフレーム３から生成されたフィールドＴｙｐｅ６，７及び８のうちの最後のフィールドである。
【００４６】
また、映像編集装置は、削除範囲の終了フィールドの候補としてＴｙｐｅ３，５，８及び１０のフィールドを提示する。そして、映像編集装置は、下段のＴｙｐｅ１０とＴｙｐｅ１の境界、Ｔｙｐｅ３とＴｙｐｅ４の境界、Ｔｙｐｅ５とＴｙｐｅ６の境界及びＴｙｐｅ８とＴｙｐｅ９の境界に終了フィールド候補マークを表示する。これらは元のフィルム映像データのフレームの境界に相当する（図７（Ｃ）参照）。
【００４７】
これらのフィールドを削除範囲の終了フィールドとしてカット編集を実行すると、カット編集後の映像データにおける編集点直後のフィールドはＴｙｐｅ４，６，９又は１になる（削除範囲の終了フィールドが編集対象の映像データの最終フィールドでない場合）。これらのフィールドは、図７（Ｃ）に示すように、元の２４Ｈｚ（２４ｐ）の映像データの同じフレームを生成元とする２枚又は３枚のフィールドのうち最初のフィールドである。
【００４８】
例えば、Ｔｙｐｅ４は元の映像データの同じフレーム２から生成された２つのフィールドＴｙｐｅ４及び５のうちの最初のフィールドである。Ｔｙｐｅ６は元の映像データの同じフレーム３から生成された３つのフィールドＴｙｐｅ６，７及び８のうちの最初のフィールドである。Ｔｙｐｅ９は元の映像データの同じフレーム４から生成された２つのフィールドＴｙｐｅ９及び１０のうちの最初のフィールドである。Ｔｙｐｅ１は元の映像データの同じフレーム１から生成された３つのフィールドＴｙｐｅ１，２及び３のうちの最初のフィールドである。
【００４９】
本実施例の映像編集装置は、ユーザによる開始フィールドの指定に応じて、編集後の映像データのフィールド配列が３：２プルダウンの配列パターンに従う配列となる条件を満たすカット編集を行える終了フィールドの候補を提示する。図１の表示例では、マーク１に対応するマーク６及び７が、この終了フィールド候補の提示を表している。そして、映像編集装置は、開始フィールドとその直前のフィールドとの境界が元の映像データのフレームの境界となるようなカット編集を行える開始フィールドの候補を提示する。図１の表示例は、マーク３、４及び５が、この開始フィールド候補の提示を表している。
【００５０】
また、映像編集装置は、ユーザによる終了フィールドの指定に応じて、編集後の映像データのフィールド配列が３：２プルダウンの配列パターンに従う配列となる条件を満たすカット編集を行える開始フィールドの候補を提示する。そして、映像編集装置は、終了フィールドとその直後のフィールドとの境界が元の映像データのフレームの境界となるよう
なカット編集を行える終了フィールドの候補を提示する。図１には図示していないが、下段のＴｙｐｅ３とＴｙｐｅ４の境界、Ｔｙｐｅ５とＴｙｐｅ６の境界、Ｔｙｐｅ８とＴｙｐｅ９の境界及びＴｙｐｅ１０とＴｙｐｅ１の境界にマークを表示する。
【００５１】
このように提示される開始フィールド及び終了フィールドの候補を削除範囲の開始フィールド及び終了フィールドとして指定して行われるカット編集後の映像データは、３：２プルダウンのフィールド配列パターンに従ってフィールドが配列された映像データとなる。かつ、削除範囲の開始フィールドとその直前のフィールドとの境界は元の映像データのフレームの境界に一致する（削除範囲の開始フィールドが編集対象の映像データの先頭フィールドでない場合）。また、削除範囲の終了フィールドとその直後のフィールドとの境界が元の映像データのフレームの境界に一致する（削除範囲の終了フィールドが編集対象の映像データの最終フィールドでない場合）。すなわち、編集点直前の２個又は３個のフィールドは必ず同一のフレーム由来のフィールドとなる（削除範囲の開始フィールドが編集対象の映像データの先頭フィールドでない場合）。また、編集点直後の２個又は３個のフィールドは必ず同一のフレーム由来のフィールドとなる（削除範囲の終了フィールドが編集対象の映像データの最終フィールドでない場合）。従って、カット編集後のインターレース映像データに対して３：２プルダウン対応Ｉ／Ｐ変換を施した場合に、異なるフレーム由来のフィールドが意図せず合成されることを回避できる。よって、カット編集後のインターレース映像データは、３：２プルダウン対応Ｉ／Ｐ変換を好適に適用可能なインターレース映像データとなる。
【００５２】
＜ユーザによる編集点変更＞
次のステップＳ１１０からステップＳ１１３では、暫定的な開始フィールドの変更処理が行われる。ステップＳ１１０において、制御部５１は、開始フィールドの位置を左右に移動させるための操作がユーザによりなされるのを待つ。ユーザがこの操作を行うための操作部５２の構成例を図４に示す。図４は、リモコンなどのユーザ操作手段に設けられるキーを示しており、上方移動キー２０１、下方移動キー２０２、左方移動キー２０３、右方移動キー２０４及びＯＫキー２０５がある。
【００５３】
ステップＳ１１０において、左方移動キー２０３が操作されたことを検知した場合、制御部５１はステップＳ１１１に進み、図１において削除範囲の開始フィールドを示すマーク１を１フィールド左へ移動させる。そして、ユーザによるこの開始フィールドの位置変更に応じて、制御部５１は、図１の下段に、カット編集後の映像データのフィールド配列が３：２プルダウンの配列パターンに従う配列となる条件を満たすカット編集を行える終了フィールド候補を更新する。具体的には、ユーザが、配列番号ｊのフィールド（Ｔｙｐｅｊ）を開始フィールドに指定した場合、制御部５１は、配列番号ｊ−１のフィールド（Ｔｙｐｅ（ｊ−１））を終了フィールドの候補として提示する。すなわち、ユーザが開始フィールドのマーク１をＴｙｐｅ（ｊ−１）とＴｙｐｅｊの境界に移動させた場合、制御部５１は、下段におけるＴｙｐｅ（ｊ−１）とＴｙｐｅｊの境界に終了フィールド候補のマークを表示する。
【００５４】
例えば、図１において、ユーザが、上段に示される暫定的な開始フィールドのマーク１をマーク４の位置（Ｔｙｐｅ３とＴｙｐｅ４の境界）に動かした場合、それに応じて、下段においてマーク６及び７がＴｙｐｅ３とＴｙｐｅ４の境界に移動する。この場合、変更後の暫定的な開始フィールドがＴｙｐｅ４であり、これに応じて、制御部５１が、終了フィールド候補の提示をＴｙｐｅ３に更新したことを意味する。以上の処理を行ってから、制御部５１は、ステップＳ１１３へ進む。
【００５５】
ステップＳ１１０において、右方移動キー２０４が操作されたことを検知した場合、制御部５１はステップＳ１１２へ進み、図１において削除範囲の開始フィールドを示すマー
ク１を１フィールド右へ移動させる。そして、ユーザによるこの開始フィールドの位置変更に応じて、制御部５１は、図１の下段に、カット編集後の映像データのフィールド配列が３：２プルダウンの配列パターンに従う配列となる条件を満たすカット編集を行える終了フィールド候補を更新する。具体的な処理内容は上述した左に移動させる場合と同様である。
【００５６】
制御部５１は、ステップＳ１１３にて下方移動キー２０２が操作されない限り、ステップＳ１１０からステップＳ１１３の処理を繰り返すことにより、ユーザに、開始フィールドの指定を行わせる。一方、ステップＳ１１３で下方移動キー２０２が操作されたことを検知した場合、制御部５１はステップＳ１２０に進む。ステップＳ１２０からステップＳ１３０の処理において、終了フィールドの変更処理が行われる。ステップＳ１１０からステップＳ１１３での開始フィールドの変更処理同様、制御部５１は、ユーザによる左方移動キー２０３又は右方移動キー２０４の操作を受け、図１下段の削除範囲の終了フィールドを示すマーク２を移動させる。
【００５７】
この時、制御部５１は、ユーザによる暫定的な終了フィールドの変更に応じて、上段に、カット編集後の映像データのフィールド配列が３：２プルダウンの配列パターンに従う配列となる条件を満たすカット編集を行える開始フィールド候補を更新する。具体的には、ユーザが配列番号ｊのフィールド（Ｔｙｐｅｊ）を終了フィールドに指定した場合、制御部５１は、配列番号ｊ＋１のフィールド（Ｔｙｐｅ（ｊ＋１））を開始フィールドの候補として提示する。すなわち、ユーザが終了フィールドのマーク２をＴｙｐｅｊとＴｙｐｅ（ｊ＋１）の境界に移動させた場合、制御部５１は、上段におけるＴｙｐｅｊとＴｙｐｅ（ｊ＋１）の境界に開始フィールド候補のマークを表示する。
【００５８】
例えば、図１において、ユーザが、下段に示される暫定的な終了フィールドの指定を表すマーク２を、Ｔｙｐｅ８とＴｙｐｅ９の境界に動かした場合、それに応じて、上段のＴｙｐｅ８とＴｙｐｅ９の境界に開始フィールドの候補を示すマークが移動する（不図示）。この場合、暫定的な終了フィールドがＴｙｐｅ９からＴｙｐｅ８に変更され、これに応じて、制御部５１が、開始フィールド候補の提示をＴｙｐｅ９に更新したことを意味する。以上の処理を行ってから、制御部５１は、ステップＳ１３０へ進む。
【００５９】
制御部５１は、以上のようにして削除範囲の開始フィールドと終了フィールドをユーザに指定させた上で、ステップＳ１３０において、ユーザによるＯＫキー２０５の操作を待つ。ユーザによりＯＫキー２０５が操作されたことを検知したら、制御部５１は、削除範囲の開始フィールドと終了フィールドを確定する。そして、ステップＳ１３１にて、制御部５１は、確定した開始フィールドから終了フィールドまでの範囲の映像データを編集対象の映像データから削除した映像データを出力し、カット編集の処理を終える。
【００６０】
なお、ユーザが、黒い三角形のマーク３，４又は５で示される開始フィールド候補を削除範囲の開始フィールドとして指定しない場合や、黒い三角形のマーク６又は７で示される終了フィールド候補を削除範囲の終了フィールドとして指定しない場合もある。つまり、編集後の映像データのフィールド配列が３：２プルダウンの配列パターンにならない編集点や、元の映像データのフレームの境界ではない位置の編集点をユーザが指定してＯＫキー２０５を操作することもあり得る。その場合、制御部５１は、カット編集後の映像データのフィールド配列が３：２プルダウンの配列パターンではなくなり、３：２プルダウン対応Ｉ／Ｐ変換を適用できなくなる旨をユーザに警告しても良い。そして、制御部５１は、ユーザに、それを容認することを確認させ、又は編集点の再指定を行なわせるようにしても良い。
【００６１】
図３のフロー図において、ステップＳ１０１、ステップＳ１０３、ステップＳ１１０か
らステップＳ１３０などにおいてユーザの操作により開始フィールドや終了フィールドの位置を移動する処理を行う制御部５１が、本発明の「指定部」として機能している。ステップＳ１０２及びステップＳ１０４の処理を行う制御部５１が、本発明の「判別部」として機能している。ステップＳ１１０からステップＳ１２２などにおいてユーザに開始フィールド候補や終了フィールド候補を提示する処理を行う制御部５１が、本発明の「提示部」として機能している。ステップＳ１３１においてカット編集を実行する制御部５１が、本発明の「出力部」として機能している。ステップＳ１３０においてユーザへの通知を行う処理を行う制御部５１が、本発明の「通知部」として機能している。
【００６２】
なお、映像編集用ＧＵＩは、図５に示すようなものであっても良い。すなわち、３：２プルダウンにより生成されたフィールドであって配列パターンにおける配列番号（Ｔｙｐｅ１〜１０）が判別されたフィールドについては、次の条件を満たすもののみ表示する。すなわち、編集対象の映像データにおいて、削除範囲の開始フィールドとその直前のフィールドとの境界及び／又は削除範囲の終了フィールドとその直後のフィールドとの境界が元の映像データのフレームの境界に一致するもののみ表示する。つまり、カット編集後の映像データに３：２プルダウン対応Ｉ／Ｐ変換を適用した場合に不適切なフィールド合成が発生しないようなカット編集を行える開始フィールド及び終了フィールドのサムネイル画像のみ表示する。具体的には、上段には、元の映像データの同じフレームを生成元とする複数のフィールドのうち配列番号が最も小さいフィールドのサムネイル画像のみ表示する。下段には、元の映像データの同じフレームを生成元とする複数のフィールドのうち配列番号が最も大きいフィールドのサムネイル画像のみ表示する。なお、削除範囲の開始フィールドが編集対象の映像データの先頭フィールドの場合、削除範囲の終了フィールドとその直後のフィールドとの境界が元の映像データのフレームの境界に一致するような終了フィールドを候補として提示する。また、削除範囲の終了フィールドが編集対象の映像データの最終フィールドの場合、削除範囲の開始フィールドとその直前のフィールドとの境界が元の映像データのフレームの境界に一致するような開始フィールドを候補として提示する。
【００６３】
３：２プルダウンの場合には、図５に示すように、上段には、暫定的な開始フィールド（マーク１で表示）の前後に存在するＴｙｐｅ１、４、６及び９のフィールドのサムネイル画像のみを表示する。これらのフィールドのいずれを削除範囲の開始フィールドとして指定しても、編集対象の映像データにおいて、削除範囲の開始フィールドとその直前のフィールドとの境界は元の映像データのフレームの境界となる。つまり、ユーザに、強制的に、削除範囲の開始フィールドとその直前のフィールドとの境界が元の映像データのフレームの境界となるような開始フィールドを選択させることができる（開始フィールドが編集対象の映像データの先頭フィールドでない場合）。映像編集装置は、このようにして指定される開始フィールドに応じて、３：２プルダウンのフィールド配列を崩さない条件を満たす終了フィールドの候補を下段に表示する（マーク６及び７で表示）。
【００６４】
例えば、上段でユーザがＴｙｐｅ１を開始フィールドとして指定した場合は、映像編集装置は、下段においてＴｙｐｅ１０を終了フィールド候補として示すマークを表示する。同様に、上段でユーザがＴｙｐｅ４を開始フィールドとして指定した場合は、映像編集装置は、下段においてＴｙｐｅ３を終了フィールド候補として示すマークを表示する。上段でユーザがＴｙｐｅ６を開始フィールドとして指定した場合は、映像編集装置は、下段においてＴｙｐｅ５を終了フィールド候補として示すマークを表示する。上段でユーザがＴｙｐｅ９を開始フィールドとして指定した場合は、映像編集装置は、下段においてＴｙｐｅ８を終了フィールド候補として示すマークを表示する。
【００６５】
このように提示される開始フィールド及び終了フィールドを選択すれば、削除範囲の開始フィールドとその直前のフィールドとの境界が元の映像データのフレームの境界となり
、カット編集後の映像データが３：２プルダウンの配列パターンを有するようになる。この場合、自動的に削除範囲の終了フィールドとその直後のフィールドとの境界は元の映像データのフレームの境界になる。このようにして指定される開始フィールド及び終了フィールドにより指定される削除範囲を削除した編集後の映像データは、３：２プルダウン対応Ｉ／Ｐ変換を適用可能なフィールド配列を有する。この場合、図１に示した、「開始フィールド候補」を示すマーク３，４及び５は表示不要となる。
【００６６】
また、図５に示すように、下段には、暫定的な終了フィールド（マーク２で表示）の前後に存在するＴｙｐｅ３，５，８及び１０のフィールドのサムネイル画像のみを表示する。これらのフィールドのいずれを削除範囲の終了フィールドとして指定しても、編集対象の映像データにおいて、削除範囲の終了フィールドとその直後のフィールドとの境界は元の映像データのフレームの境界となる。つまり、ユーザに、強制的に、削除範囲の終了フィールドとその直後のフィールドとの境界が元の映像データのフレームの境界となるような終了フィールドを選択させることができる（終了フィールドが編集対象の映像データの最終フィールドでない場合）。映像編集装置は、このようにして指定される終了フィールドに応じて、３：２プルダウンのフィールド配列を崩さない条件を満たす開始フィールドの候補を上段に表示する（図示略）。
【００６７】
例えば、下段でユーザがＴｙｐｅ３を終了フィールドとして指定した場合は、映像編集装置は、上段においてＴｙｐｅ４を開始フィールド候補として示すマークを表示しても良い。同様に、下段でユーザがＴｙｐｅ５を終了フィールドとして指定した場合は、映像編集装置は、上段においてＴｙｐｅ６を開始フィールド候補として示すマークを表示する。下段でユーザがＴｙｐｅ８を終了フィールドとして指定した場合は、映像編集装置は、上段においてＴｙｐｅ９を開始フィールド候補として示すマークを表示する。下段でユーザがＴｙｐｅ１０を終了フィールドとして指定した場合は、映像編集装置は、上段においてＴｙｐｅ１を開始フィールド候補として示すマークを表示する。
【００６８】
図５の例では、映像編集装置は、配列番号の判別が付かないフィールドについては、図１と同様、全てのフィールドを表示するとともに、×印のマーク８や９を表示する。このマークは、そのフィールドを削除範囲の開始フィールドや終了フィールドに指定した場合、３：２プルダウンのフィールド配列パターンを維持できず、また、編集点が元の映像データのフレームの境界にならないことを示す。
【００６９】
以上のようにして指定される開始フィールド及び終了フィールドによりカット編集がなされた映像データは、ＨＤＤ１４に格納される。カット編集後の映像データを外部録画機器にダビングする場合には、カット編集後の映像データは、再生時と同様に復号器１５にてデコードされ、圧縮器２０で再度エンコードされ、録画出力端子２１から出力され、ここに接続された他の機器にて録画される。
【００７０】
また、ビデオ出力端子１９に画像表示装置を接続してＨＤＤ１４に格納されたカット編集後の映像データを表示させる場合、ビデオ出力端子１９から出力されるインターレース映像信号は３：２プルダウンのフィールド配列パターンを維持している。また、カット編集後の映像データの編集点直前や直後の２枚又は３枚のフィールドのうちには、異なるフレーム由来のフィールドが混入していない。従って、ビデオ出力端子１９に接続した画像表示装置に３：２プルダウン対応Ｉ／Ｐ変換機能があれば、誤りのない３：２プルダウン対応Ｉ／Ｐ変換が行われ、高画質なプログレッシブ映像を表示させることができる。あるいは、映像編集装置が、３：２プルダウン対応Ｉ／Ｐ変換を施す機能ブロックを更に有し、ＨＤＤ１４に格納されたカット編集後のインターレース映像データをプログレッシブ映像データに変換した上でビデオ出力端子１９から出力しても良い。この場合も、映像編集装置内での３：２プルダウン対応Ｉ／Ｐ変換は適切に実行される。カット編集後のインタ
ーレース映像データは３：２プルダウンのフィールド配列パターンを維持しているので、３：２プルダウン対応Ｉ／Ｐ変換の他、３：２プルダウンのフィールド配列パターンを前提として設計された種々の画像処理を好適に適用可能である。
【００７１】
（実施例２）
図６は本発明の第２の実施例の映像編集装置の回路ブロック図であり、図２のブロック図と同等の機能を有するブロックには、同一の番号が振られている。本実施例の映像編集装置は、ＤＶＤ記録再生処理部２３を備える。ＤＶＤ記録再生処理部２３（記録部）により、ＤＶＤメディア２４（記録媒体）に映像データをダビングすることができる。第１の実施例と異なる点は、外部機器へダビングするための機能ではなく、ＤＶＤメディア２４という着脱可能な記録メディアへダビングするための機能を具備している点である。
【００７２】
第１の実施例と同様の方法で３：２プルダウンのフィールド配列パターンを維持してカット編集がなされた映像データはＨＤＤ１４内に格納されている。第１の実施例と同様、ＨＤＤ１４から読み出されたカット編集後の映像データは、圧縮器２０で再度エンコードがなされる。エンコードされたカット編集後の映像データは、ＤＶＤ記録再生処理部２３に渡され、ＤＶＤメディア２４に記録される。ＤＶＤメディア２４に記録された映像データの再生時には、ＤＶＤ記録再生処理部２３はＤＶＤメディア２４からカット編集後の映像データを読み出す。そして、ＤＶＤメディア２４から読み出された映像データに対して、ＨＤＤ１４から読み出された映像データの再生時と同様の処理がなされて、カット編集後の映像がビデオ出力端子１９から映像信号として出力される。この時、ビデオ出力端子１９からは、３：２プルダウンのフィールド配列パターンが崩れていないインターレース映像信号が出力される。本装置内で３：２プルダウン対応Ｉ／Ｐ変換を施してからプログレッシブ映像信号をビデオ出力端子１９から出力しても良いことは実施例１で述べたのと同様である。
【００７３】
（変形例）
なお、本発明に係る映像編集装置は、テレビ放送番組映像以外の映像データに対しても適用可能である。例えば、ビデオカメラの中には、毎秒２４フレームでプログレッシブ撮影した映像データを３：２プルダウン処理して毎秒６０フィールドのインターレース映像データとしてテープやメモリカードなどに記録するものがある。テレビ放送用の家庭用録画機器には、このようなビデオカメラで撮影された映像データをダビングして、テレビ番組と同様にカット編集することができるものもある。上述した映像編集装置によれば、このようなビデオカメラで撮影された３：２プルダウンのフィールド配列を有するインターレース映像データに対しても、３：２プルダウンのフィールド配列パターンを崩さずにカット編集することができる。
【００７４】
また、本発明に係る映像編集装置は、テレビ放送番組を録画編集する機器以外の形態でも実施可能である。例えば、図１や図５に示したようなＧＵＩを表示し、図３に示したような処理を行うコンピュータ用映像編集プログラムとしても実施可能である。その場合、ユーザは、図４に示すリモコンのキーの代わりに、キーボードやマウス、タッチパネルなどのユーザインターフェースを介して、カット編集に係る削除範囲の開始フィールドや終了フィールドの指定を行うことができる。これにより、ユーザは、３：２プルダウンにより生成された映像データを含むインターレース方式の映像データに対して、３：２プルダウンのフィールド配列パターンを崩すことなくカット編集することができる。この映像編集プログラムは、カット編集後の映像データに対して３：２プルダウン対応Ｉ／Ｐ変換を施し、プログレッシブ映像データとして書き出す機能を有しても良い。また、映像編集プログラムは、３：２プルダウンのフィールド配列パターンを前提として設計されたエフェクトなどの画像処理を施す機能を有しても良い。この場合、カット編集を行っても、高画質なプログレッシブ映像データや画像処理結果を得ることが可能になる。
【００７５】
以上説明した実施例では、編集後の映像データが３：２プルダウンのフィールド配列パターンを維持しながらカット編集することができる映像編集装置を説明したが、本発明は３：２プルダウンの映像データ以外にも適用できる。すなわち、元の映像データの連続するＮ個のフレーム画像の各々から生成される所定の個数のフィールド画像を所定の配列パターンで配列してＭ個（Ｍ＞Ｎ）のフィールド画像に変換するプルダウン処理により生成されるインターレース映像データに適用できる。例えば、２４ｐを６０ｉに変換するプルダウン処理には３：２プルダウンの他にも２：３：３：２プルダウンや２：２：２：４プルダウンなどがあるが、それらにも本発明を適用できる。また、３０ｐを６０ｉに変換する２：２プルダウンにも本発明を適用できる。
【符号の説明】
【００７６】
５１：制御部、５２：操作部
【図１】
0005523239.tif 000002
【図２】
0005523239.tif 000003
【図３】
0005523239.tif 000004
【図４】
0005523239.tif 000005
【図５】
0005523239.tif 000006
【図６】
0005523239.tif 000007
【図７】
0005523239.tif 000008